(57)【特許請求の範囲】
【請求項１】
容器体口頸部へ水密に嵌合可能に設けた基筒部３の上面を閉塞する頂壁４を開口して、該開口周縁から起立する支持筒５上端へ前後両端面開口の横筒６を、該横筒内へ支持筒上端面を開口７させて付設した栓本体１と、上記横筒６内へ、上記開口７を筒壁で水密に閉塞させて後端面閉塞のノズル２２の中間部を、回動可能かつ凹凸の第１係合手段により前後方向への摺動は不能に嵌合させ、かつノズル後部から側外方へ把手２３を突出する回動部材２１とを有し、上記把手が反対方向へ突出する状態にノズル２２が横筒６に対して回動したとき、支持筒上端の開口７と連通する透孔２５をノズル２２に穿設した液体注出栓において、上記横筒６前方へ突出するノズル部分の後部外面へ、摺動リング３２を凹凸の第２係合手段で一定範囲前後方向へ摺動可能にかつ回動不能に嵌合させると共に、該摺動リングから突設した弾性帯板３３先端に付設した口蓋３４を、弾性帯板の弾性に抗し湾曲させてノズル前端部へ着脱自在に嵌合させたノズル閉塞部材３１を設け、上記支持筒の上端開口７がノズルの筒壁で閉塞された閉栓位置で、上記基筒部頂壁４の前部と摺動リング３２下面とに、互いに係合する凹凸の第３係合手段を、摺動リング３２が前限まで引出しされることで離脱可能に付設したことを特徴とする液体注出栓。
【発明の詳細な説明】
【０００１】
【産業上の利用分野】
本発明は、飲料又は調味料等の液体を収納する大型容器に取付けるよう設けた、小型容器への詰替え用の液体注出栓に関する。
【０００２】
【従来の技術】
近時、容器体口頸部へ水密に嵌合させた基筒部から支持筒を起立し、該支持筒上端へ前後両端面開口の横筒を支持筒内と連通させて付設し、その横筒内へ後端面閉塞のノズル中間部を水密に挿通させ、又ノズル後部からは側方へ把手を突出させ、該把手を一方側部へ倒して横筒に対してノズルを回動させると、ノズルに設けた透孔と支持筒上端の開口とが連通し、又把手を回して他方側部へ倒すとノズル回動により上記透孔と開口とが遮断されるよう設けた注出栓付き容器を、その口頸部が横向きとなり、かつ注出栓のノズルが下向きとなるよう倒した状態で使用されている。
【０００３】
【発明が解決しようとする課題】
上記容器は把手を正反両方向へ回動させることで栓の開閉を行うから、誤って他物が把手に当って回動させた場合も閉塞状態にある栓が開放されることとなる。従来もその把手の回動を阻止するストッパを有してはいたが、該ストッパを独立の部材として設けており、開栓時には注出栓から取外せるよう設けていたから、又閉栓後の再装着が面倒であることからそのストッパは、容器輸送時等に用いられるだけで、液体注出栓使用時には用いられず、紛失等することとなるものであった。
【０００４】
本発明は、ノズル前部へ回動不能にかつ一定範囲摺動可能に摺動リングを設け、把手を栓閉塞位置へ回した状態で摺動リングを横筒前端側へ押込みすると、その横筒を有する栓本体側と摺動リングとに設けた凹凸の係合手段が噛合って上記把手の回動を不能とし、又栓を開く場合は摺動リングをノズル前端側へ引出すことで上記係合手段を外し、把手を回動すればよいよう設けたもので、摺動リングがノズルから外れないよう、つまり紛失等しないようにすると共に、その使用も簡易であり、又その摺動リングにはノズル前端部へ嵌合させる口蓋を弾性帯板を介し一体に付設して、それ等摺動リングおよび口蓋が形成するノズル閉塞部材の利用価値を高め、もって上記従来例ストッパの欠点を除去しようとするものである。
【０００５】
【課題を解決するための手段】
容器体口頸部へ水密に嵌合可能に設けた基筒部３の上面を閉塞する頂壁４を開口して、該開口周縁から起立する支持筒５上端へ前後両端面開口の横筒６を、該横筒内へ支持筒上端面を開口７させて付設した栓本体１と、上記横筒６内へ、上記開口７を筒壁で水密に閉塞させて後端面閉塞のノズル２２の中間部を、回動可能かつ凹凸の第１係合手段により前後方向への摺動は不能に嵌合させ、かつノズル後部から側外方へ把手２３を突出する回動部材２１とを有し、上記把手が反対方向へ突出する状態にノズル２２が横筒６に対して回動したとき、支持筒上端の開口７と連通する透孔２５をノズル２２に穿設した液体注出栓において、上記横筒６前方へ突出するノズル部分の後部外面へ、摺動リング３２を凹凸の第２係合手段で一定範囲前後方向へ摺動可能にかつ回動不能に嵌合させると共に、該摺動リングから突設した弾性帯板３３先端に付設した口蓋３４を、弾性帯板の弾性に抗し湾曲させてノズル前端部へ着脱自在に嵌合させたノズル閉塞部材３１を設け、上記支持筒の上端開口７がノズルの筒壁で閉塞された閉栓位置で、上記基筒部頂壁４の前部と摺動リング３２下面とに、互いに係合する凹凸の第３係合手段を、摺動リング３２が前限まで引出しされることで離脱可能に付設した。
【０００６】
【作用】
図１が示す栓閉塞状態で、基筒部頂壁４の前部と摺動リング３２下面とに設けた第３係合手段が互いに噛合い、又摺動リング３２はノズル２２に対して回動不能であるため、把手２３を回動させて開栓することは不能である。開栓するには図４のように摺動リング３２を前方へ引出して上記第３係合手段を外し、該状態から把手２３を反対方向まで回せば、支持筒１５上端の開口７とノズル２２が有する透孔２５とが連通して開栓する。尚口蓋３４はその開栓操作に先だち外しておく。
【０００７】
【実施例】
本発明の液体注出栓は、栓本体と回動部材とノズル開閉部材とで形成する。それ等部材はそれぞれ合成樹脂材で一体成形するとよい。
【０００８】
栓本体１は、容器体口頸部２へ水密に嵌合可能に設けた基筒部３の上面を閉塞する頂壁４前部を開口してその開口周縁から支持筒５を起立し、該支持筒上端へ前後両端面開口の横筒６を、該横筒内へ支持筒上端を開口７させて形成している。
【０００９】
上記基筒部３は図示のように内外二重筒状に形成してその内筒３ａを容器体口頸部２の内面へ、又外筒３ｂを口頚部外面へ、それぞれ嵌合できるよう設けている。頂壁４の前部には、図３が示すように、後述第３係合手段としての突部８，８をその左右に付設する。又横筒６の後部内面には第１係合手段としての突条９を周設している。
【００１０】
回動部材２１は、上記横筒６内へ水密に中間部を嵌合させたノズル２２と、該ノズル後部から図２、図３が示すように側外方へ突出させた把手２３とで形成する。
【００１１】
ノズル２２は後端面を閉塞し、又後部を大外径としてそのノズル中間部を横筒６内へ挿通させる。その中間部後方には既述突条９を嵌合させてノズルの抜出しを防止する、凹溝２４を周設しており、これ等突条と凹溝とが第１係合手段を形成する。
【００１２】
図示状態で支持筒上端の開口７上方のノズル上壁部分には把手２３を反対方向まで回動させたとき、開口７と連通する透孔２５を穿設し、又その透孔前方の、横筒６前方へ突出するノズル部分の上面後部には、図３が示すように、第２係合手段としての凹部２６および凸部２７を設けている。凹部２６は四角形状とし、又凸部２７は凹部中間へ左右方向へ凹設した突条で形成している。横筒６前方へ突出するノズル前部は後方突出部分よりも長く形成するとよい。
【００１３】
ノズル閉塞部材３１は、横筒６前方へ突出するノズル分の後部外面へ、回動不能にかつ一定範囲前後方向へ摺動可能に嵌合させた摺動リング３２を有し、又該リングから突出させた弾性帯板３３先端に、ノズル前端部へ着脱自在に嵌合する口蓋３４を有する。
【００１４】
摺動リング３２は、図２、図３が示すように後部を円筒状部３２ａ  に、かつ前部をフランジ状部３２ｂ  に形成するとよく、フランジ状部外径は横筒６外径よりも大とする。上記弾性帯板３３はフランジ状部３２ｂ  から突出する。
【００１５】
円筒状部３２ａ  の後部内面には第２係合手段としての突条３５が付設してあって、該突条は既述ノズルの凹部２６内へ嵌合させて、ノズル２２に対する摺動リング３２の回動を不能とすると共に、凸部２７乗り越えによりノズル２２に対して摺動リング３２が一定範囲で前後方向へ摺動可能としている。又フランジ状部３２ｂ  の下部後面には、既述栓本体の突部８，８間へ出入させる、第３係合手段としての係合子３６が付設してあり、摺動リング３２後方押込みの際にその係合子３６が突部８，８間へ入って栓本体１と摺動リング３２とを、従って該摺動リングを回動不能に嵌合するノズル２２を栓本体１に対して回動不能とし、又摺動リング３２を前方摺動させて上記突部８，８間から図４のように離脱させることで、栓本体１に対して把手２３によるノズル２２の回動が可能となる。
【００１６】
尚既述第１、第２、第３の各係合手段は、その一方と他方とを、横筒６とノズル２２との、又ノズル２２と摺動リング３２との、更に栓本体頂壁４前部と摺動リング３２下部とのいずれに設けてもよい。
【００１７】
【発明の効果】
本発明は既述構成とするものであり、容器体口頸部へ嵌合させる栓本体１の横筒６内へ、ノズル２２中間部を水密かつ回動可能に嵌合させ、ノズル後面から側外方へ突出させた把手２３により、該把手が反対方向へ移動するようノズル２２を横筒６に対して回動させたときにだけ、横筒内面に開口する栓本体の開口７とノズルに穿設した透孔２５とが連通して開栓し、又把手を元の位置へ戻すことで閉栓するよう設けた液体注出栓において、横筒６前方へ突出するノズル部分の後部外面へ、摺動リング３２を凹凸の第２係合手段で一定範囲前後方向へ摺動可能にかつ回動不能に嵌合させると共に、上記閉栓位置で容器体口頸部へ嵌合させる基筒部頂壁４の前部と摺動リング３２の下面とに、互いに係合する凹凸の第３係合手段を、摺動リング３２が前限まで引出されることで離脱可能に付設したから、閉栓時摺動リング３２を後方へ押込むだけで上記第３係合手段が噛合ってノズル２２を横筒６に対して回動不能となり、該閉栓状態で把手２３に他物が当ってそのためノズル２２が回動して開栓するようなことがなく、又上記摺動リング３２からは弾性帯板３３を突設してその先端に口蓋３４を付設し、その弾性帯板の弾性に抗し湾曲させて口蓋３４をノズル前端へ嵌合させたから、口蓋３４を外すと弾性帯板３３は弾性復元してノズル側方へ移動することとなり、よってその口蓋がノズルからの液体注出の邪魔となることがない。又上記摺動リング３２と弾性帯板３３と口蓋３４とが形成するノズル閉塞部材３１は、その摺動リングを横筒６前方へ突出するノズル部分後部へ一定範囲だけ前後方向へ摺動可能に、かつ回動不能に嵌合させたから、閉栓状態を保持させるストッパや口蓋を別部材として成形した場合のように、そのストッパとしての摺動リング３２や口蓋３４を紛失するようなことがなく、又そのノズル閉塞部材３１の利用価値を高めることが出来る。
【図面の簡単な説明】
【図１】本発明液体注出栓の縦断面図である。
【図２】図１栓の平面図である。
【図３】図１栓の分解斜視図である。
【図４】栓本体に対して回動部材を回動可能とした状態で示す、縦断面図である。
【符号の説明】
１…栓本体            ２…横筒
２１…回動部材          ２２…ノズル
２３…把手              ３１…ノズル閉塞部材
３２…摺動リング
【図１】
0003547846.tif 000002
【図２】
0003547846.tif 000003
【図３】
0003547846.tif 000004
【図４】
0003547846.tif 000005